【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
サンプルを分析する方法であって、
（ａ）液体クロマトグラフィーシステムの中の１つまたは複数の検出器からの信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
前記信号の振幅は、前記液体クロマトグラフィーシステムによって修正される、方法。
【手続補正２】
【補正対象書類名】明細書
【補正対象項目名】０１５９
【補正方法】変更
【補正の内容】
【０１５９】
[0170]本発明が限られた数の例示的な実施形態とともに説明されてきたが、これらの特定の例示的な実施形態は、本発明の範囲を限定することを意図するものではなく、本発明の範囲は、添付の特許請求の範囲に記載及び請求されている。本明細書の例示的な実施形態を精査することにより、当業者にとっては、さらなる修正、等価物、および変形例が可能であることが明らかであろう。例の中のあらゆる部分、パーセンテージは、明細書の他の部分と同様に、特に明示しない限り重量による。さらに、特定の性質、計測単位、条件、物理状態、割合を示すように明細書または請求項に記載された数値の範囲は、参照により文字通りに明示的に統合することを意図しており、この範囲内の数値は記載された範囲内の任意の部分集合を含む。たとえば、下限ＲＬおよび上限ＲＵをともなう数値範囲が開示されているときは、この範囲内の任意の数Ｒが明確に開示されている。特に、以下の範囲内の数値Ｒが明確に開示されている。すなわち、Ｒ＝ＲＬ＋ｋ（ＲＵ−ＲＬ）が開示されており、ここで、ｋは１％から１００％までの範囲の１％刻みの変数であり、たとえば、ｋは１％、２％、３％、４％、５％．．．５０％、５１％、５２％．．．９５％、９６％、９７％、９８％、９９％、または１００％である。さらに、上述のように計算される、Ｒの任意の２つの値により示される任意の数値範囲も明確に開示されている。これらの明細書での開示および記載に加えて、本発明の任意の修正は、以上の説明および添付の図面から当業者に明らかである。このような修正は、添付の特許請求の範囲内にあることを意図している。本明細書で引用された文献は、参照によってその全体を本明細書に援用する。
以下は出願時の請求項の記載である。
（請求項１）
サンプルを分析する方法であって、
（ａ）液体クロマトグラフィーシステムの中の１つまたは複数の検出器からの信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
前記信号の振幅は、前記液体クロマトグラフィーシステムによって修正される、方法。
（請求項２）
請求項１記載の方法において、
前記信号の振幅は、電子的手段、またはデジタル手段によって修正される、方法。
（請求項３）
請求項１記載の方法において、
前記信号の振幅は、前記クロマトグラフィーシステムのコンポーネントを使用する前記信号の利得の変化によって修正される、方法
（請求項４）
請求項１記載の方法において、
前記信号の振幅は、コンピュータソフトウェアまたはコンピュータで読取り可能な媒体によって修正される、方法。
（請求項５）
請求項１記載の方法において、
前記信号の振幅は、光学手段によって修正される、方法。
（請求項６）
請求項１記載の方法において、
前記信号の振幅は、前記クロマトグラフィーシステムの１つまたは複数の検出器の光源によって修正される、方法。
（請求項７）
請求項１記載の方法において、
前記信号の振幅は、前記クロマトグラフィーシステムの１つまたは複数の検出器でそれぞれ異なる光源を使用することによって修正される、方法。
（請求項８）
請求項１記載の方法において、
前記信号の振幅は、前記クロマトグラフィーシステムの１つまたは複数の検出器の光源の強度を変更することによって修正される、方法。
（請求項９）
請求項１記載の方法において、
前記信号の振幅は、前記クロマトグラフィーシステムの１つまたは複数の検出器のそれぞれで複数の光源を使用することによって修正される、方法。
（請求項１０）
請求項１記載の方法において、
前記信号の振幅は、流体手段によって修正される、方法。
（請求項１１）
請求項１記載の方法において、
前記信号の振幅は、前記クロマトグラフィーシステムの１つまたは複数の検出器に運ばれる、サンプル量の変更によって修正される、方法。
（請求項１２）
請求項１の方法において、
（ａ）少なくとも１つの検出器と流体連通して位置する、流体移動デバイスを介して、前記液体クロマトグラフィーシステムの少なくとも１つの検出器へ流れる流体を能動的に制御する工程をさらに含む、方法。
（請求項１３）
請求項１２記載の方法において、
前記信号の振幅は、前記流体移動デバイスの中を通るサンプルの流量の変更を含む、前記クロマトグラフィーシステムの１つまたは複数の検出器に運ばれる、サンプル量の変更によって修正される、方法。
（請求項１４）
請求項１２記載の方法において、
前記信号の振幅は、前記流体移動デバイスの中を通るサンプルの流路の変更を含む、前記クロマトグラフィーシステムの１つまたは複数の検出器に運ばれる、サンプル量の変更によって修正される、方法。
（請求項１５）
請求項１２記載の方法において、
前記信号の振幅は、複数の流体移動デバイスの使用を含む、前記クロマトグラフィーシステムの１つまたは複数の検出器に運ばれる、サンプル量の変更によって修正される、方法。
（請求項１６）
請求項１２記載の方法において、
前記信号の振幅は、交換可能な流体移動デバイスコンポーネントの使用を含む、前記クロマトグラフィーシステムの１つまたは複数の検出器に運ばれる、サンプル量の変更によって修正される、方法。
（請求項１７）
請求項１２記載の方法において、
前記信号の振幅は、前記流体移動デバイスの動作条件の変更を含む、前記クロマトグラフィーシステムの１つまたは複数の検出器に運ばれる、サンプル量の変更によって修正される、方法。
（請求項１８）
請求項１２記載の方法において、
前記信号の振幅は、前記流体移動デバイスの少なくとも１つのコンポーネントの形状またはサイズの変更を含む、前記クロマトグラフィーシステムの１つまたは複数の検出器に運ばれる、サンプル量の変更によって修正される、方法。
（請求項１９）
請求項１２記載の方法において、
前記流体移動デバイスは、シャトルバルブ、スプリッタ、またはポンプを含む、方法。
（請求項２０）
請求項１９記載の方法において、
前記信号の振幅は、１つまたは複数のスプリッタコンポーネント、シャトルバルブコンポーネント、またはポンプコンポーネントの形状またはサイズの変更を含む、前記クロマトグラフィーシステムの１つまたは複数の検出器に運ばれる、サンプル量の変更によって修正される、方法。
（請求項２１）
請求項１９記載の方法において、
前記信号の振幅は、少なくとも１つのシャトルバルブ回転子または固定子の形状またはサイズの変更、少なくとも１つの固定子または回転子チャンバーまたはチャネルの形状またはサイズの変更、またはこれらの組み合わせによる変更を含む、前記クロマトグラフィーシステムの１つまたは複数の検出器に運ばれる、サンプル量の変更によって修正される、方法。
（請求項２２）
請求項１記載の方法において、
前記信号の振幅は、検出器の設計によって修正される、方法。
（請求項２３）
請求項２２記載の方法において、
前記信号の振幅は、前記クロマトグラフィーシステムのそれぞれの検出器に対して異なるコンポーネントを有する複数の検出器の使用を含む、検出器の設計によって修正される、方法。
（請求項２４）
請求項２２記載の方法において、
前記信号の振幅は、前記クロマトグラフィーシステムのそれぞれの検出器に対して、交換可能な検出器、または検出器のコンポーネントの使用を含む、検出器の設計によって修正される、方法。
（請求項２５）
請求項１記載の方法において、
前記信号の振幅は、前記クロマトグラフィーシステムの１つまたは複数の検出器に到達するサンプルの物理的特性によって修正される、方法。
（請求項２６）
請求項２５記載の方法において、
前記検出器は、ＥＰＤを含み、および、サンプル粒子のサイズを大きくすること、小さなサンプル粒子の数を減少させること、またはこれらの組み合わせによって変更される物理的特性を有する、方法。
（請求項２７）
請求項２５記載の方法において、
前記検出器は、ＥＰＤを含み、および少なくとも１つの異なるインパクター；異なるドリフトチューブ；異なるネブライザーガス流、ネブライザーガスタイプ、ネブライザーガス温度；異なる入口、ドリフトチューブ、光学部品、または排気温度；若しくはこれらの組み合わせの使用によって変更される物理的特性を有する、方法。
（請求項２８）
請求項２５記載の方法において、
前記検出器は、ＥＰＤを含み、および、少なくとも１つの異なる平板インパクター、スクリーンインパクター、球状インパクター、エルボーインパクター、３次元インパクター、または他の非線形流れ構造インパクター、またはこれらの組み合わせの使用によって変更される物理的特性を有する、方法。
（請求項２９）
請求項１記載の方法において、
前記信号の振幅は、ネブライザー、ドリフトチューブなどの検出器（単数または複数）の機械要素、または光学ブロックの設計、またはこれらの組み合わせを変更することによって修正される、方法。
（請求項３０）
請求項１記載の方法において、
前記信号の振幅は、少なくとも１つの検出器の動作条件の変更によって修正される、方法。
（請求項３１）
請求項１記載の方法において、
少なくとも１つの検出器は、蒸発性光散乱検出器（ＥＬＳＤ）を含む、方法。
（請求項３２）
請求項１記載の方法において、
前記液体クロマトグラフィーシステムは、２つ以上の検出器を含む、方法。
（請求項３３）
請求項１記載の方法において、
前記液体クロマトグラフィーシステムは、少なくとも１つのＵＶ検出器、少なくとも１つの蒸発性光散乱検出器（ＥＬＳＤ）、少なくとも１つの質量スペクトル検出器（ＭＳ）、少なくとも１つの凝集核形成光散乱検出器（ＣＮＬＳＤ）、少なくとも１つのコロナ放電検出器、少なくとも１つの屈折率検出器（ＲＩＤ）、少なくとも１つの蛍光検出器（ＦＤ）、少なくとも１つのカイラル検出器（ＣＤ）、少なくとも１つの電気化学検出器（ＥＤ）、またはそれらの組み合わせのいずれかから選択された少なくとも１つの検出器を含む、方法。
（請求項３４）
請求項１から請求項３３のいずれか一項記載の１つまたは複数の方法の工程を実施するための、コンピュータ−で実行可能な命令が記憶されたコンピュータで読取り可能な媒体。
（請求項３５）
請求項１から請求項３３のいずれかの方法を使用してサンプルを分析できる、装置。
（請求項３６）
請求項１から請求項３３のいずれかの方法を使用して、サンプルの分析に貢献することができる、装置または装置コンポーネント。
（請求項３７）
請求項３４のコンピュータで読取り可能な媒体を使用してサンプルの分析に貢献することができる、装置または装置コンポーネント。
（請求項３８）
サンプルを分析する方法であって、
（ａ）液体クロマトグラフィーシステムの中の１つまたは複数の検出器からの信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
前記サンプル画分は、約１００ｍｇ以下である、方法。
（請求項３９）
請求項３８記載の方法において、
前記サンプル画分は、約１００ｍｇ以下から少なくとも約０．１ｍｇである、方法。
（請求項４０）
請求項３８記載の方法において、
前記サンプル画分は、約９０ｍｇ以下である、方法。
（請求項４１）
請求項３８記載の方法において、
前記検出器は、破壊式検出器および非破壊式検出器を含む、方法。
（請求項４２）
請求項３８記載の方法において、
前記液体クロマトグラフィーシステムは、少なくとも１つのＵＶ検出器、少なくとも１つの蒸発性光散乱検出器（ＥＬＳＤ）、少なくとも１つの質量スペクトル検出器（ＭＳ）、少なくとも１つの凝集核形成光散乱検出器（ＣＮＬＳＤ）、少なくとも１つのコロナ放電検出器、少なくとも１つの屈折率検出器（ＲＩＤ）、少なくとも１つの蛍光検出器（ＦＤ）、少なくとも１つのカイラル検出器（ＣＤ）、少なくとも１つの電気化学検出器（ＥＤ）、またはそれらの組み合わせのいずれか、から選択された少なくとも１つの検出器を含む、方法。
（請求項４３）
サンプルを分析する方法であって、
（ａ）液体クロマトグラフィーシステムの中の１つまたは複数の検出器からの信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
前記信号は、少なくとも約４０μＬ／分で、１つまたは複数の検出器に供給されるサンプルから生成される、方法。
（請求項４４）
請求項４３記載の方法において、
前記サンプルは、少なくとも１つの検出器と流体連通して位置する流体移動デバイスを介して、前記液体クロマトグラフィーシステムの１つまたは複数の検出器に供給される、方法。
（請求項４５）
請求項４４記載の方法において、
前記流体移動デバイスは、シャトルバルブ、スプリッタ、またはポンプを含む、方法。
（請求項４６）
請求項４３記載の方法において、
前記信号は、少なくとも約５０μＬ／分で、１つまたは複数の検出器に供給されるサンプルから生成される、方法。
（請求項４７）
請求項４３記載の方法において、
前記信号は、少なくとも約６０μＬ／分で、１つまたは複数の検出器に供給されるサンプルから生成される、方法。
（請求項４８）
サンプルを分析する方法であって、
（ａ）液体クロマトグラフィーシステムの中の１つまたは複数の検出器からの信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
前記１つまたは複数の検出器は、ＥＬＳＤを含み、前記信号は、約１ｍＷよりも大きい光源から生成される、方法。
（請求項４９）
請求項４８記載の方法において、
前記信号は、約２ｍＷよりも大きい光源から生成される、方法。
（請求項５０）
請求項４８記載の方法において、
前記信号は、約５ｍＷよりも大きい光源から生成される、方法。
（請求項５１）
サンプルを分析する方法であって、
（ａ）液体クロマトグラフィーシステムの２つ以上の検出器から信号を生成する工程であって、前記信号が少なくとも１つの検出器からの検出応答成分を含む工程と、
（ｂ）前記信号の変化に応じて画分収集器の中の新しいサンプル画分を収集する工程と、
を含み、
２つ以上の検出器は、異なるダイナミックレンジを有する複数の検出器を含む、方法。
（請求項５２）
請求項５１記載の方法において、
前記検出器は、破壊式検出器および非破壊式検出器を含む、方法。
（請求項５３）
請求項５１記載の方法において、
前記液体クロマトグラフィーシステムは、少なくとも１つのＵＶ検出器、少なくとも１つの蒸発性光散乱検出器（ＥＬＳＤ）、少なくとも１つの質量スペクトル検出器（ＭＳ）、少なくとも１つの凝集核形成光散乱検出器（ＣＮＬＳＤ）、少なくとも１つのコロナ放電検出器、少なくとも１つの屈折率検出器（ＲＩＤ）、少なくとも１つの蛍光検出器（ＦＤ）、少なくとも１つのカイラル検出器（ＣＤ）、少なくとも１つの電気化学検出器（ＥＤ）、またはそれらの組み合わせのいずれか、から選択された少なくとも１つの検出器を含む、方法。
（請求項５４）
請求項５１記載の方法において、
２つ以上の検出器は、異なるダイナミックレンジを有する同一のタイプの複数の検出器を含む、方法。
（請求項５５）
請求項５４記載の方法において、
２つ以上の検出器は、複数のＥＬＳＤを含む、方法。
（請求項５６）
請求項５１記載の方法において、
２つ以上の検出器は、異なるダイナミックレンジを有する異なるタイプの複数の検出器を含む、方法。
（請求項５７）
請求項５６記載の方法において、
２つ以上の検出器は、異なるダイナミックレンジを有する、少なくとも１つのＥＬＳＤと少なくとも１つのＵＶ検出器を含む、方法。
（請求項５８）
請求項５１記載の方法において、
２つ以上の検出器は、異なるダイナミックレンジを２つ以上の領域で有する、少なくとも１つの検出器を含む、方法。
（請求項５９）
請求項５８記載の方法において、
少なくとも１つの検出器は、異なる電力レベルを有する複数の光源を備えるＥＬＳＤを含む、方法。
（請求項６０）
請求項５８記載の方法において、
少なくとも１つの検出器は、異なる経路長を有する複数のフローセルを備えるＵＶ検出器を含む、方法。
（請求項６１）
サンプルを分析するための装置であって、
（ａ）液体クロマトグラフィーシステムの中の１つまたは複数の検出器から信号を生成可能なように構成されるシステムハードウェアであって、前記信号が１つまたは複数の検出器からの検出応答成分を含むシステムハードウェアと、
（ｂ）前記信号の変化に応じて新しいサンプル画分を収集可能なように構成される画分収集器と、
を含み、
前記液体クロマトグラフィーシステムは、信号の振幅を修正可能なように構成される、装置。
（請求項６２）
請求項６１記載の装置において、
前記信号の振幅は、電子的手段、またはデジタル手段によって修正される、装置。
（請求項６３）
請求項６１記載の装置において、
前記信号の振幅は、前記信号の利得を変更可能なように構成される前記クロマトグラフィーシステムのコンポーネントによって修正される、装置。
（請求項６４）
請求項６１記載の装置において、
前記信号の振幅は、コンピュータソフトウェアまたはコンピュータで読取り可能な媒体によって修正される、装置。
（請求項６５）
請求項６１記載の装置において、
前記信号の振幅は、光学手段によって修正される、装置。
（請求項６６）
請求項６１記載の装置において、
前記信号の振幅は、前記クロマトグラフィーシステムの１つまたは複数の検出器の光源によって修正される、装置。
（請求項６７）
請求項６１記載の装置において、
前記信号の振幅は、１つまたは複数の検出器のそれぞれに異なる光源を使用可能なように構成される前記クロマトグラフィーシステムによって修正される、装置。
（請求項６８）
請求項６１記載の装置において、
前記信号の振幅は、１つまたは複数の検出器の光源の強度を変更可能なように構成される、前記クロマトグラフィーシステムによって修正される、装置。
（請求項６９）
請求項６１記載の装置において、
前記信号の振幅は、１つまたは複数の検出器のそれぞれに複数の光源を使用可能なように構成される前記クロマトグラフィーシステムによって修正される、装置。
（請求項７０）
請求項６１記載の装置において、
前記信号の振幅は、流体手段によって修正される、装置。
（請求項７１）
請求項６１記載の装置において、
前記信号の振幅は、１つまたは複数の検出器に運ばれるサンプル量を、変更可能なように構成される前記クロマトグラフィーシステムによって修正される、装置。
（請求項７２）
請求項６１記載の装置において、
さらに１つまたは複数の検出器と流体連通するように配置され、１つまたは複数の検出器へ流れる流体を能動的に制御する流体移動デバイスを含む、装置。
（請求項７３）
請求項７２記載の装置において、
前記信号の振幅は、流体移動デバイスの中を通るサンプルの流量の変更を含む、１つまたは複数の検出器に運ばれるサンプル量を変更可能なように構成される前記クロマトグラフィーシステムによって修正される、装置。
（請求項７４）
請求項７２記載の装置において、
前記信号の振幅は、流体移動デバイスの中を通るサンプルの流路の変更を含む、１つまたは複数の検出器に運ばれるサンプル量を、変更可能なように構成される前記クロマトグラフィーシステムによって修正される、装置。
（請求項７５）
請求項７２記載の装置において、
前記信号の振幅は、複数の流体移動デバイスの使用を含む、１つまたは複数の検出器に運ばれるサンプル量を、変更可能なように構成される前記クロマトグラフィーシステムによって修正される、装置。
（請求項７６）
請求項７２記載の装置において、
前記信号の振幅は、交換可能な流体移動デバイスコンポーネントの使用を含む、１つまたは複数の検出器に運ばれるサンプル量を、変更可能なように構成される前記クロマトグラフィーシステムによって修正される、装置。
（請求項７７）
請求項７２記載の装置において、
前記信号の振幅は、流体移動デバイスの動作条件の変更を含む、１つまたは複数の検出器に運ばれるサンプル量を変更可能なように構成される前記クロマトグラフィーシステムによって修正される、装置。
（請求項７８）
請求項７２記載の装置において、
前記信号の振幅は、流体移動デバイスの少なくとも１つのコンポーネントの形状またはサイズの変更を含む、１つまたは複数の検出器に運ばれるサンプル量を、変更可能なように構成される前記クロマトグラフィーシステムによって修正される、装置。
（請求項７９）
請求項７２記載の装置において、
流体移動デバイスは、シャトルバルブ、スプリッタ、またはポンプを含む、装置。
（請求項８０）
請求項７９記載の装置において、
前記信号の振幅は、１つまたは複数のスプリッタコンポーネント、シャトルバルブコンポーネント、またはポンプコンポーネントの形状またはサイズの変更を含む、１つまたは複数の検出器に運ばれるサンプル量を、変更可能なように構成される前記クロマトグラフィーシステムによって修正される、装置。
（請求項８１）
請求項７９記載の装置において、
前記信号の振幅は、少なくとも１つのシャトルバルブ回転子または固定子の形状またはサイズ、少なくとも１つの固定子または回転子チャンバーまたはチャネルの形状またはサイズの変更、またはこれらの組み合わせの変更を含む、１つまたは複数の検出器に運ばれるサンプル量を、変更可能なように構成される前記クロマトグラフィーシステムによって修正される、装置。
（請求項８２）
請求項６１記載の装置において、
前記信号の振幅は、検出器の設計によって修正される、装置。
（請求項８３）
請求項８２記載の装置において、
前記信号の振幅は、１つまたは複数の検出器のそれぞれに対して、異なるコンポーネントを備える複数の検出器を使用可能なように構成される、前記クロマトグラフィーシステムによって修正される、装置。
（請求項８４）
請求項８２記載の装置において、
前記信号の振幅は、１つまたは複数の検出器のそれぞれに対して、交換可能な検出器、またはそれらのコンポーネントを使用可能なように構成される、前記クロマトグラフィーシステムによって修正される、装置。
（請求項８５）
請求項６１記載の装置において、
前記信号の振幅は、１つまたは複数の検出器に到達するサンプルの物理的特性を変更可能なように構成される、前記クロマトグラフィーシステムによって修正される、装置。
（請求項８６）
請求項８５記載の装置において、
１つまたは複数の検出器は、少なくとも１つのＥＰＤを含み、前記信号の振幅は、１つまたは複数の検出器の光学部品部分（単数または複数）に到達するサンプルの物理的特性を変更可能なように構成される前記クロマトグラフィーシステムによって修正される、装置。
（請求項８７）
請求項６１記載の装置において、
１つまたは複数の検出器は、少なくとも１つのＥＰＤを含み、前記信号の振幅は、少なくとも１つの異なるインパクター；異なるドリフトチューブ；異なるネブライザーガス流、ネブライザーガスタイプ、ネブライザーガス温度；異なる入口、ドリフトチューブ、光学部品、または排気温度；またはこれらの組み合わせの使用によって、１つまたは複数の検出器の光学部品部分（単数または複数）に到達するサンプルの物理的特性を変更可能なように構成される前記クロマトグラフィーシステムによって修正される、装置。
（請求項８８）
請求項６１記載の装置において、
１つまたは複数の検出器は、少なくとも１つのＥＰＤを含み、前記信号の振幅は、少なくとも１つの異なる平板インパクター、スクリーンインパクター、球状インパクター、エルボーインパクター、３次元インパクター、または他の非線形流れ構造インパクター、またはこれらの組み合わせの使用によって、１つまたは複数の検出器の光学部品部分（単数または複数）に到達するサンプルの物理的特性を変更可能なように構成される前記クロマトグラフィーシステムによって修正される、装置。
（請求項８９）
請求項６１記載の装置において、
前記信号の振幅は、ネブライザー、ドリフトチューブなどの検出器（単数または複数）の機械要素、または光学ブロックの設計、またはこれらの組み合わせを変更可能なように構成される前記クロマトグラフィーシステムによって修正される、装置。
（請求項９０）
請求項６１記載の装置において、
前記信号の振幅は、１つまたは複数の検出器の動作条件を変更可能なように構成される前記クロマトグラフィーシステムによって修正される、装置。
（請求項９１）
請求項６１記載の装置において、
少なくとも１つの検出器は、蒸発性光散乱検出器（ＥＬＳＤ）を含む、装置。
（請求項９２）
サンプルを分析するための装置であって、
（ａ）液体クロマトグラフィーシステムの中の１つまたは複数の検出器から信号を生成可能なように構成されるシステムハードウェアであって、前記信号が１つまたは複数の検出器からの検出応答成分を含むシステムハードウェアと、
（ｂ）前記信号の変化に応じて新しいサンプル画分を収集可能なように構成される画分収集器と、
を含み、
液体クロマトグラフィーシステムは、約１００ｍｇ以下のサンプル画分を収集可能なように構成される、装置。
（請求項９３）
請求項９２記載の装置において、
前記サンプル画分は、約１００ｍｇ以下から少なくとも約０．１ｍｇである、装置。
（請求項９４）
請求項９２記載の装置において、
前記サンプル画分は、約９０ｍｇ以下である、装置。
（請求項９５）
請求項９２記載の装置において、
前記検出器は、破壊式検出器および非破壊式検出器を含む、装置。
（請求項９６）
請求項９２記載の装置において、
前記液体クロマトグラフィーシステムは、少なくとも１つのＵＶ検出器、少なくとも１つの蒸発性光散乱検出器（ＥＬＳＤ）、少なくとも１つの質量スペクトル検出器（ＭＳ）、少なくとも１つの凝集核形成光散乱検出器（ＣＮＬＳＤ）、少なくとも１つのコロナ放電検出器、少なくとも１つの屈折率検出器（ＲＩＤ）、少なくとも１つの蛍光検出器（ＦＤ）、少なくとも１つのカイラル検出器（ＣＤ）、少なくとも１つの電気化学検出器（ＥＤ）、またはそれらの組み合わせのいずれか、から選択された少なくとも１つの検出器を含む、装置。
（請求項９７）
サンプルを分析するための装置であって、
（ａ）液体クロマトグラフィーシステムの中の１つまたは複数の検出器から信号を生成可能なように構成されるシステムハードウェアであって、前記信号が１つまたは複数の検出器からの検出応答成分を含むシステムハードウェアと、
（ｂ）前記信号の変化に応じて新しいサンプル画分を収集可能なように構成される画分収集器と、
を含み、
前記液体クロマトグラフィーシステムは、少なくとも約４０μＬ／分で、１つまたは複数の検出器に供給されるサンプルから信号を生成可能なように構成される、装置。
（請求項９８）
請求項９７記載の装置において、
前記サンプルは、少なくとも１つの検出器と流体連通して位置する流体移動デバイスを介して、前記液体クロマトグラフィーシステムの１つまたは複数の検出器に供給される、装置。
（請求項９９）
請求項９８記載の装置において、
前記流体移動デバイスは、シャトルバルブ、スプリッタ、またはポンプを含む、装置。
（請求項１００）
請求項９７記載の装置において、
前記信号は、少なくとも約５０μＬ／分で、１つまたは複数の検出器に供給されるサンプルから生成される、装置。
（請求項１０１）
請求項９７記載の装置において、
前記信号は、少なくとも約６０μＬ／分で、１つまたは複数の検出器に供給されるサンプルから生成される、装置。
（請求項１０２）
サンプルを分析するための装置であって、
（ａ）液体クロマトグラフィーシステムの中の１つまたは複数の検出器から信号を生成可能なように構成されるシステムハードウェアであって、前記信号が１つまたは複数の検出器からの検出応答成分を含むシステムハードウェアと、
（ｂ）前記信号の変化に応じて新しいサンプル画分を収集可能なように構成される画分収集器と、
を含み、
１つまたは複数の検出器は、ＥＬＳＤを含み、信号は、約１ｍＷよりも大きい光源から生成される、装置。
（請求項１０３）
請求項１０２記載の装置において、
前記信号は、約２ｍＷよりも大きい光源から生成される、装置。
（請求項１０４）
請求項１０２記載の装置において、
前記信号は、約５ｍＷよりも大きい光源から生成される、装置。
（請求項１０５）
サンプルを分析するための装置であって、
（ａ）液体クロマトグラフィーシステム内の２つ以上の検出器からの信号を生成可能なように構成されるシステムハードウェアであって、前記信号が１つまたは複数の検出器からの検出応答成分を含むシステムハードウェアと、
（ｂ）前記信号の変化に応じて新しいサンプル画分を収集可能なように構成される画分収集器と、
を備え、
２つ以上の検出器は、異なるダイナミックレンジを有する複数の検出器を備える、装置。
（請求項１０６）
請求項１０５記載の装置において、
前記検出器は、破壊式検出器および非破壊式検出器を含む、装置。
（請求項１０７）
請求項１０５記載の装置において、
前記液体クロマトグラフィーシステムは、少なくとも１つのＵＶ検出器、少なくとも１つの蒸発性光散乱検出器（ＥＬＳＤ）、少なくとも１つの質量スペクトル検出器（ＭＳ）、少なくとも１つの凝集核形成光散乱検出器（ＣＮＬＳＤ）、少なくとも１つのコロナ放電検出器、少なくとも１つの屈折率検出器（ＲＩＤ）、少なくとも１つの蛍光検出器（ＦＤ）、少なくとも１つのカイラル検出器（ＣＤ）、少なくとも１つの電気化学検出器（ＥＤ）、またはそれらの組み合わせのいずれか、から選択された少なくとも１つの検出器を含む、装置。
（請求項１０８）
請求項１０５記載の装置において、
２つ以上の検出器は、異なるダイナミックレンジを有する同一のタイプの複数の検出器を含む、装置。
（請求項１０９）
請求項１０８記載の装置において、
２つ以上の検出器は、複数のＥＬＳＤを含む、装置。
（請求項１１０）
請求項１０５記載の装置において、
２つ以上の検出器は、異なるダイナミックレンジを有する異なるタイプの複数の検出器を含む、装置。
（請求項１１１）
請求項１１０記載の装置において、
２つ以上の検出器は、異なるダイナミックレンジを有する、少なくとも１つのＥＬＳＤと少なくとも１つのＵＶ検出器を含む、装置。
（請求項１１２）
請求項１０５記載の装置において、
２つ以上の検出器は、異なるダイナミックレンジを２つ以上の領域で有する、少なくとも１つの検出器を含む、装置。
（請求項１１３）
請求項１１２記載の装置において、
少なくとも１つの検出器は、異なる電力レベルを有する複数の光源を備えるＥＬＳＤを含む、装置。
（請求項１１４）
請求項１１２記載の装置において、
少なくとも１つの検出器は、異なる経路長を有する複数のフローセルを備えるＵＶ検出器を含む、装置。